(57)【要約】  本発明は、製造時間を短縮することのできるポートの製造方法を提供する。本発明は、第一端と該第一端の反対側の第二端とを有する筒状の被封止部と、該被封止部の第一端に繋がる筒状の接続部と、前記被封止部の内周面、前記被封止部の外周面、又は前記被封止部の前記第二端の何れかに形成された被嵌合部とを有するポート本体の前記被封止部に中空針を刺通可能な封止栓を封入することと、第一面と該第一面の反対側の第二面とを有する本体部と該本体部に連続する嵌合部とを有する抜止部材の前記嵌合部と前記被嵌合部とを嵌め合わせることと、前記本体部を前記封止栓に重ね合わせることとを含む。
2016117580.tif 000002
【特許請求の範囲】
【請求項１】
第一端と該第一端の反対側の第二端とを有する筒状の被封止部と、該被封止部の第一端に繋がる筒状の接続部と、前記被封止部の内周面、前記被封止部の外周面、又は前記被封止部の前記第二端の何れかに形成された被嵌合部とを有するポート本体の前記被封止部に中空針を刺通可能な封止栓を封入することと、第一面と該第一面の反対側の第二面とを有する本体部と該本体部に連続する嵌合部とを有する抜止部材の前記嵌合部と前記被嵌合部とを嵌め合わせることと、前記本体部を前記封止栓に重ね合わせることとを含むポートの製造方法。
【請求項２】
前記被嵌合部は、凹部又は凸部の何れか一方であり、前記嵌合部は、凹部又は凸部の何れか他方である請求項１に記載のポートの製造方法。
【請求項３】
前記本体部は、前記第一面及び前記第二面で開口し且つ前記封止栓を露出させる針挿通部を有し、前記封止栓は、前記本体部の前記針挿通部内に向けて突出する突出部を有し、前記本体部を前記封止栓に重ね合わせることには、前記本体部の前記第一面又は前記第二面の何れか一方が前記封止栓側に向けられた状態で、前記針挿通部内に前記封止栓の前記突出部が配置され、且つ前記突出部の先端が、前記本体部の前記第一面又は前記第二面の何れか他方と同一又は略同一のレベル、或いは、前記本体部の前記第一面又は前記第二面の何れか他方から外方に突出した位置に配置されることを含む請求項１又は２に記載のポートの製造方法。
【請求項４】
前記抜止部材は、前記本体部の前記第一面上に形成された第一の規制部を有し、前記本体部を前記封止栓に重ね合わせることには、前記第一の規制部を前記封止栓に当接させることを含む請求項１乃至３の何れか１項に記載のポートの製造方法。
【請求項５】
前記抜止部材は、前記本体部の前記第二面上に形成された第二の規制部を有し、前記本体部を前記封止栓に重ね合わせることには、前記第一の規制部又は前記第二の規制部を前記封止栓に当接させることを含む請求項４に記載のポートの製造方法。
【請求項６】
第一端と該第一端の反対側の第二端とを有する筒状の被封止部と、前記被封止部の第一端に繋がる筒状の接続部と、前記被封止部の内周面、前記被封止部の外周面、又は前記被封止部の前記第二端の何れかに形成された被嵌合部とを有するポート本体の前記被封止部に中空針を刺通可能な封止栓を封入することと、第一面と該第一面の反対側の第二面とを有する本体部と該本体部に連続する嵌合部とを有する抜止部材の前記嵌合部と前記被嵌合部とを嵌め合わせることと、前記本体部を前記封止栓に重ね合わせることと、薬液が充填されるバッグ本体を前記接続部の外周に対して接続することとを含む薬液バッグの製造方法。
【請求項７】
前記被嵌合部は、凹部又は凸部の何れか一方であり、前記嵌合部は、凹部又は凸部の何れか他方である請求項６に記載の薬液バッグの製造方法。
【請求項８】
前記バッグ本体に前記接続部の接続された前記ポート本体を介して前記バッグ本体内に薬液を充填することをさらに含み、前記被封止部に前記封止栓を封入すること、及び前記本体部を前記封止栓に重ね合わせることは、前記バッグ本体内に薬液を充填した後に行われる請求項６又は７に記載の薬液バッグの製造方法。
【請求項９】
前記バッグ本体に設けられた未封部位から該バッグ本体内に薬液が充填された後に、前記未封部位が密閉されることを含む請求項６又は７に記載の薬液バッグの製造方法。
【請求項１０】
前記バッグ本体を前記接続部の外周に対して接続することには、前記未封部位と該未封部位に配置された前記接続部とが溶着されることで、前記未封部位が密閉されることを含む請求項９に記載の薬液バッグの製造方法。
【発明の詳細な説明】
【関連出願の相互参照】
【０００１】
本願は、日本国特願２０１５−００９４８０号の優先権を主張し、引用によって本願明細書の記載に組み込まれる。
【技術分野】
【０００２】
本発明は、薬液を収容するバッグ本体に取り付けられるポートの製造方法、及び該ポートを備える薬液バッグの製造方法に関する。
【背景技術】
【０００３】
従来から、薬液（例えば、薬剤を含有する液や、栄養剤を含有する液等）を収容する薬液バッグが提供されている。図２２に示す如く、薬液バッグ４は、内部に薬液が充填されるバッグ本体４０と、該バッグ本体４０に取り付けられるポート４１と、を備える（例えば、特許文献１参照）。【０００４】
バッグ本体４０は、互いに対向する一対のシート部材４００を有する。一対のシート部材４００の外周縁部は、互いに溶着されている。【０００５】
ポート４１は、図２３に示す如く、中空針を刺通可能な封止栓４１０と、該封止栓４１０が内部に配置される中空のポート本体４１１とを備える。【０００６】
ポート本体４１１は、封止栓４１０が封入される筒状の被封止部４１１ａと、該被封止部４１１ａと連続し且つ自身の内部を被封止部４１１ａの内部と連通させた筒状の接続部４１１ｂであって、外周に一対のシート部材４００のそれぞれが溶着された接続部４１１ｂとを備える。【０００７】
また、ポート本体４１１は、被封止部４１１ａに連続する抜止部４１１ｃであって、封止栓４１０に当接する抜止部４１１ｃを備える。抜止部４１１ｃは、封止栓４１０を押さえ込む。これにより、抜止部４１１ｃは、ポート本体４１１からの封止栓４１０の脱落を防止する。【０００８】
ところで、薬液バッグ４の製造過程において、バッグ本体４０やポート４１の製造（加工）には時間がかかる。【０００９】
例えば、ポート４１の製造過程において、被封止部４１１ａから延出する部分（以下、折代部４１１ｄという）が加熱されつつ封止栓４１０側に折り返され、当該折代部４１１ｄの先端部全体が封止栓４１０に当接した状態になることで、折代部４１１ｄが抜止部４１１ｃにされる。このように、従来の製造方法では、折代部４１１ｄに対する加熱や曲げ加工が必要となり、これらの加工に時間がかかる。【００１０】
そのため、薬液バッグ４の製造過程において、バッグ本体４０やポート４１の製造時間の短縮が求められている。
【先行技術文献】
【特許文献】
【００１１】
【特許文献１】日本国  特開２００５−３４９１８２号公報
【発明の概要】
【発明が解決しようとする課題】
【００１２】
そこで、本発明は、斯かる実情に鑑み、製造時間を短縮できるポートの製造方法、及び薬液バッグの製造方法を提供することを課題とする。
【課題を解決するための手段】
【００１３】
本発明のポートの製造方法は、第一端と該第一端の反対側の第二端とを有する筒状の被封止部と、該被封止部の第一端に繋がる筒状の接続部と、前記被封止部の内周面、前記被封止部の外周面、又は前記被封止部の前記第二端の何れかに形成された被嵌合部とを有するポート本体の前記被封止部に中空針を刺通可能な封止栓を封入することと、第一面と該第一面の反対側の第二面とを有する本体部と該本体部に連続する嵌合部とを有する抜止部材の前記嵌合部と前記被嵌合部とを嵌め合わせることと、前記本体部を前記封止栓に重ね合わせることとを含む。【００１４】
前記被嵌合部は、凹部又は凸部の何れか一方であり、前記嵌合部は、凹部又は凸部の何れか他方であってもよい。【００１５】
前記本体部は、前記第一面及び前記第二面で開口し且つ前記封止栓を露出させる針挿通部を有し、前記封止栓は、前記本体部の前記針挿通部内に向けて突出する突出部を有し、前記本体部を前記封止栓に重ね合わせることには、前記本体部の前記第一面又は前記第二面の何れか一方が前記封止栓側に向けられた状態で、前記針挿通部内に前記封止栓の前記突出部が配置され、且つ前記突出部の先端が、前記本体部の前記第一面又は前記第二面の何れか他方と同一又は略同一のレベル、或いは、前記本体部の前記第一面又は前記第二面の何れか他方から外方に突出した位置に配置されることを含んでもよい。【００１６】
前記抜止部材は、前記本体部の前記第一面上に形成された第一の規制部を有し、前記本体部を前記封止栓に重ね合わせることには、前記第一の規制部を前記封止栓に対向させることを含んでもよい。【００１７】
前記抜止部材は、前記本体部の前記第二面上に形成された第二の規制部を有し、前記本体部を前記封止栓に重ね合わせることには、前記第一の規制部又は前記第二の規制部を前記封止栓に対向させることを含んでもよい。【００１８】
本発明の薬液バッグの製造方法は、第一端と該第一端の反対側の第二端とを有する筒状の被封止部と、前記被封止部の第一端に繋がる筒状の接続部と、前記被封止部の内周面、前記被封止部の外周面、又は前記被封止部の前記第二端の何れかに形成された被嵌合部とを有するポート本体の前記被封止部に中空針を刺通可能な封止栓を封入することと、第一面と該第一面の反対側の第二面とを有する本体部と該本体部に連続する嵌合部とを有する抜止部材の前記嵌合部と前記被嵌合部とを嵌め合わせることと、前記本体部を前記封止栓に重ね合わせることと、薬液が充填されるバッグ本体を前記接続部の外周に対して接続することとを含む。【００１９】
前記被嵌合部は、凹部又は凸部の何れか一方であり、前記嵌合部は、凹部又は凸部の何れか他方であってもよい。【００２０】
前記バッグ本体に前記接続部の接続された前記ポート本体を介して前記バッグ本体内に薬液を充填することをさらに含み、前記被封止部に前記封止栓を封入すること、及び前記本体部を前記封止栓に重ね合わせることは、前記バッグ本体内に薬液を充填した後に行われてもよい。【００２１】
これとは別に、前記バッグ本体に設けられた未封部位から該バッグ本体内に薬液が充填された後に、前記未封部位が密閉されることを含んでもよい。【００２２】
前記バッグ本体を前記接続部の外周に対して接続することには、前記未封部位と該未封部位に配置された前記接続部とが溶着されることで、前記未封部位が密閉されることを含んでもよい。
【図面の簡単な説明】
【００２３】
【図１】図１は、本発明の一実施形態に係る薬液バッグの正面図である。
【図２】図２は、同実施形態に係るポートの縦断面図である。
【図３】図３は、同実施形態に係る封止栓の縦断面図である。
【図４】図４は、同実施形態に係るポート本体の縦断面図である。
【図５】図５は、同実施形態に係るポートの断面図であって、図１のＶ−Ｖ線における断面図である。
【図６】図６は、同実施形態に係る抜止部材の縦断面図である。
【図７】図７は、同実施形態に係るポートの拡大図であって、図２の領域ＶＩＩの拡大図である。
【図８】図８は、同実施形態に係る薬液バッグの製造方法の説明図であって、ポート本体をバッグ本体に取り付ける前の状態図である。
【図９】図９は、同実施形態に係る薬液バッグの製造方法の説明図であって、ポート本体をバッグ本体に取り付けた後の状態図である。
【図１０】図１０は、同実施形態に係る薬液バッグの製造方法の説明図であって、ポート本体に封止栓を封入した後の状態図である。
【図１１】図１１は、同実施形態に係る薬液バッグの製造方法の説明図であって、ポート本体に抜止部材を嵌め合わせた後の状態図である。
【図１２】図１２は、本発明の他実施形態に係る薬液バッグの正面図である。
【図１３】図１３は、本発明の別の実施形態に係る薬液バッグの正面図である。
【図１４】図１４は、本発明のさらに別の実施形態に係るポートの部分的な縦断面図である。
【図１５】図１５は、本発明のさらに別の実施形態に係るポートの部分的な縦断面図である。
【図１６】図１６は、本発明のさらに別の実施形態に係るポートの部分的な縦断面図である。
【図１７】図１７は、本発明のさらに別の実施形態に係るポートの部分的な縦断面図である。
【図１８】図１８は、本発明のさらに別の実施形態に係るポートの部分的な縦断面図である。
【図１９】図１９は、本発明のさらに別の実施形態に係るポートの部分的な縦断面図である。
【図２０】図２０は、本発明のさらに別の実施形態に係るポートの部分的な縦断面図である。
【図２１】図２１は、本発明のさらに別の実施形態に係るポートの部分的な拡大縦断面図である。
【図２２】図２２は、従来の薬液バッグの正面図である。
【図２３】図２３は、従来のポートの縦断面図である。
【発明を実施するための形態】
【００２４】
以下、本発明の一実施形態について、図面を参照しつつ説明する。
【００２５】
図１に示す如く、薬液バッグ１は、薬液（例えば、輸液用の薬剤を含有する液や、栄養剤を含有する液等）が充填されるバッグ本体２と、該バッグ本体２に取り付けられたポート３とを備える。
【００２６】
バッグ本体２は、重ね合わされた一対のシート部材２０を含む。バッグ本体２は、一対のシート部材２０の互いの外周縁部同士を溶着したシール部２１を有する。バッグ本体２は、一対のシート部材２０及びシール部２１によって画定される収容室２２を有する。
【００２７】
本実施形態において、バッグ本体２は、一対のシート部材２０を剥離可能に接合した弱シール部２３を有する。
【００２８】
弱シール部２３は、収容室２２を複数の空間に仕切るように形成される。本実施形態において、弱シール部２３は、収容室２２を二つの空間に仕切っている。すなわち、収容室２２は、互いに連通させることが可能な二つの空間２２ａ，２２ｂを有する。なお、本実施形態では、収容室２２の一方の空間２２ａを第一の収容室とし、収容室２２の他方の空間２２ｂを第二の収容室として説明する。
【００２９】
第一の収容室２２ａ及び第二の収容室２２ｂのそれぞれには、異なる種類の薬液が収容される。バッグ本体２では、弱シール部２３が剥離されると、第一の収容室２２ａと第二の収容室２２ｂとが連通する。これにより、第一の収容室２２ａ内の薬液と、第二の収容室２２ｂ内の薬液とが混合される。
【００３０】
図２に示す如く、ポート３は、中空針を刺通可能な封止栓３０と、該封止栓３０が内部に配置される中空のポート本体３１と、該ポート本体３１に取り付けられる抜止部材３２とを備える。
【００３１】
封止栓３０は、抜止部材３２側に位置する第一面と、該第一面の反対側の第二面とを有する。図３に示す如く、封止栓３０は、第一面上に形成された環状の溝部３００を有する。
【００３２】
封止栓３０の第一面における中央部（第一面における溝部３００よりも内側の部分）の高さは、封止栓３０の第一面における外周縁部（第一面における溝部３００よりも外側の部分）の高さよりも高く設定される。すなわち、封止栓３０の第一面における中央部は、ポート本体３１の中心線方向において、封止栓３０の第一面における外周縁部よりも抜止部材３２側に位置している。より具体的には、封止栓３０は、抜止部材３２によって取り囲まれる領域（後述する本体部３２０の貫通孔）内に向けて突出する突出部３０４を有する（図２参照）。本実施形態において、突出部３０４は、封止栓３０のうちの溝部３００に包囲された部分である。突出部３０４は、ポート本体３１の中心線方向において、封止栓３０の第一面における外周縁部よりも外方に突出している。
【００３３】
これにより、封止栓３０の第一面における中央部（突出部３０４）に対する作業（例えば、アルコール消毒等）がし易くなる。
【００３４】
封止栓３０は、抜止部材３２側とは反対側に向けて開放する環状凹部３０１を有する（図２参照）。すなわち、封止栓３０は、第二面上に形成された環状凹部３０１を有する。
【００３５】
封止栓３０は、第二面の中央部から抜止部材３２（第一面）側の反対側に向けて延出する延出部３０２と、該延出部３０２の外周面を取り囲む環状突出部３０３とを有する。
【００３６】
延出部３０２は、環状凹部３０１に包囲される。すなわち、延出部３０２は、当該封止栓３０の第二面のうちの環状凹部３０１の内側の領域に形成される。これに対し、環状突出部３０３は、当該封止栓３０の第二面のうちの環状凹部３０１の外側の領域に形成される。これにより、延出部３０２の外周面と環状突出部３０３の内周面とは、環状凹部３０１を挟んで対向する。延出部３０２の外周面は、周方向全周に亘って、環状突出部３０３側に膨らんでいる。
【００３７】
図４に示す如く、ポート本体３１は、第一端と該第一端の反対側の第二端とを中心線方向に有する筒状の被封止部３１０であって、封止栓３０が封入される被封止部３１０と、該被封止部３１０の第一端に繋がる筒状の接続部３１１であって、バッグ本体２に外周が溶着される接続部３１１と、被封止部３１０の内周面、被封止部３１０の外周面、又は被封止部３１０の第二端の何れかに形成される被嵌合部３１２とを有する。
【００３８】
本実施形態に係る被封止部３１０は、筒状に形成された外壁部３１０ａと、該外壁部３１０ａと接続部３１１とを繋ぐ連続部３１０ｂとを有する。
【００３９】
外壁部３１０ａは、第一端と該第一端の反対側の第二端とを中心線方向に有する。外壁部３１０ａの第一端は、連続部３１０ｂを介して接続部３１１に繋がる。
【００４０】
外壁部３１０ａは、周方向全周に亘って封止栓３０の外周面に接する内周面を有する。外壁部３１０ａの第二端側の内周面には、被嵌合部３１２としての凹部（溝）が周方向に連続して形成されている。なお、本実施形態に係る被封止部３１０（外壁部３１０ａ）の第二端には、ピールシールＰが剥離可能に貼り付けられる（図２参照）。
【００４１】
外壁部３１０ａの第二端の厚みは、外壁部３１０ａの第一端の厚みよりも厚く設定される。これにより、外壁部３１０ａの第二端側の剛性は、外壁部３１０ａの第一端側の剛性よりも高くなっている。
【００４２】
連続部３１０ｂは、外壁部３１０ａの第一端の周方向全周から径方向内方向に向けて延出する。連続部３１０ｂの内周縁は、接続部３１１に繋がる。
【００４３】
被封止部３１０は、連続部３１０ｂから外壁部３１０ａの第二端側に向けて延出する環状の支持部３１０ｃをさらに有する。被封止部３１０において、支持部３１０ｃの外周面及び外壁部３１０ａの内周面は、間隔をあけて互いに対向する。すなわち、被封止部３１０において、支持部３１０ｃの外周面と、外壁部３１０ａの内周面との間に隙間が形成されている。
【００４４】
本実施形態に係るポート３において、図２に示す如く、支持部３１０ｃの内側に封止栓３０の延出部３０２が封入又は配置される。これに伴い、封止栓３０の環状凹部３０１内には、支持部３１０ｃが封入又は配置される。
【００４５】
上述のように、延出部３０２の外周面は、周方向全周に亘って、環状突出部３０３側に膨らんでいる。これにより、封止栓３０の延出部３０２と支持部３１０ｃとの密着性が高められている。
【００４６】
接続部３１１は、図４に示す如く、被封止部３１０の第一端から延出している。具体的には、接続部３１１は、第一開口端と該第一開口端の反対側の第二開口端とを中心線方向に有する。本実施形態において、接続部３１１の第一開口端は、被封止部３１０に連続している。接続部３１１の第二端側の外周面に対して一対のシート部材２０のそれぞれが溶着される（図１参照）。
【００４７】
図５に示す如く、接続部３１１は、自身の内部を被封止部３１０の内部に連通させた筒部３１１ａと、該筒部３１１ａと繋がる被封着部３１１ｂであって、自身の内部を筒部３１１ａの内部に連通させた筒状の被封着部３１１ｂとを有する。
【００４８】
筒部３１１ａの外径は、被封止部３１０の外径よりも小さい。
【００４９】
被封着部３１１ｂは、ポート本体３１の中心線方向と直交する第一方向で間隔をあけて互いに対向する一対の円弧部３１１ｃであって、それぞれが外側に向けて膨らむ（突出する）一対の円弧部３１１ｃと、ポート本体３１の中心線方向及び第一方向と直交する第二方向で間隔をあけて互いに対向する一対の尖鋭部３１１ｄであって、該一対の円弧部３１１ｃの対応する端部同士を繋ぐ一対の尖鋭部３１１ｄとを有する。
【００５０】
一対の尖鋭部３１１ｄのそれぞれの外面は、互いに相反する方向に突出している。すなわち、一対の尖鋭部３１１ｄのそれぞれの外面は、外側に向けて突出している。一対の尖鋭部３１１ｄのそれぞれの外面は、第二方向で外側に向かうにつれて先細りしている。
【００５１】
一対の円弧部３１１ｃの外面及び一対の尖鋭部３１１ｄの外面は、連続している。本実施形態において、円弧部３１１ｃの厚み、及び尖鋭部３１１ｄの厚みは、同一又は略同一である。これに伴い、一対の円弧部３１１ｃの内面及び一対の尖鋭部３１１ｄの内面も、連続している。被封着部３１１ｂの第二方向の内径は、被封着部３１１ｂの第一方向の内径よりも大きい。被封着部３１１ｂの外径は、筒部３１１ａの外径よりも小さい。すなわち、被封着部３１１ｂの第二方向の外径（外寸）は、筒部３１１ａの外径よりも小さい。
【００５２】
図４に示す如く、被嵌合部３１２は、被封止部３１０の内周面に形成された凹部である。本実施形態に係る被嵌合部（凹部）３１２は、被封止部３１０の内周面に対して周方向全周に亘って連続している。すなわち、被嵌合部（凹部）３１２は、無端環状に形成される。本実施形態において、被嵌合部（凹部）３１２は、外壁部３１０ａの第二端側の内周面に形成される。
【００５３】
図２に示す如く、抜止部材３２は、被封止部３１０内で外側に向く封止栓３０の第一面に重ね合わされる。図６に示す如く、抜止部材３２は、中空針を挿通させる針挿通部を有する。本実施形態において、針挿通部は、貫通孔であり、これに伴って、抜止部材３２は、円環状に形成される。
【００５４】
より具体的には、抜止部材３２は、第一面と該第一面の反対側の第二面とを有する本体部３２０と、該本体部３２０の第一面上に形成された規制部３２１と、本体部３２０の外周に連続する嵌合部３２２とを有する。
【００５５】
本体部３２０は、第一面及び第二面で開口し且つ封止栓３０を露出させる針挿通部を有する。上述の如く、針挿通部は、貫通孔である。これに伴い、本体部３２０は、貫通孔（針挿通部）を画定し、環状に形成される。本実施形態において、針挿通部（貫通孔）は、円形の孔である。これに伴い、本体部３２０は、円環状に形成される。
【００５６】
本体部３２０の第一面は、被封止部３１０内に配置された封止栓３０の外側を向く面（封止栓３０の第一面）と対向する対向領域を含む。当該本体部３２０が環状に形成されるに伴い、対向領域は、本体部３２０の外周によって外周の画定された環状の領域である。本体部３２０の第一面は、被封止部３１０内で内側（封止栓３０側）を向き、本体部３２０の第二面は、被封止部３１０内で外側を向く。本体部３２０の第二面は、封止栓３０の第一面（本実施形態では、突出部３０４の先端）と同一又は略同一のレベル（平面上）に配置される。より具体的に説明する。本体部３２０の第二面（外面）は、平面状に形成される。本体部３２０の第二面（外面）は、ポート本体３１の中心線方向において、封止栓３０の第一面（本実施形態では、封止栓３０の第一面の中央部）と対応又は略対応する位置にある。
【００５７】
規制部３２１は、本体部３２０の針挿通部（貫通孔）を包囲する。規制部３２１は、本体部３２０の第一面から封止栓３０側に突出している。規制部３２１は、本体部３２０の第一面のうちの封止栓３０と対向する対向領域を避けた領域から封止栓３０側に突出している。本実施形態において、規制部３２１は、本体部３２０の第一面のうちの対向領域よりも内周側にある円環状の領域から封止栓３０側に突出している。規制部３２１は、封止栓３０の溝部３００内に配置される。本実施形態において、規制部３２１は、封止栓３０に当接している。
【００５８】
なお、本実施形態に係る抜止部材３２では、上述の如く、本体部３２０の第一面から突出する規制部３２１が封止栓３０の溝部３００内に配置される。これに伴い、抜止部材３２は、規制部３２１に加えて本体部３２０の第一面のうちの対向領域を封止栓３０に当接させる。
【００５９】
規制部３２１は、本体部３２０の内周縁部側に形成されている。そのため、抜止部材３２では、本体部３２０の内周縁部側の厚みが、本体部３２０の外周縁部側の厚みよりも厚い。これにより、抜止部材３２の内周縁部側の剛性が高められる。
【００６０】
上述のように、ポート本体３１の被嵌合部３１２は、被封止部３１０の内周面に形成された凹部であって、被封止部３１０の内周面の周方向全周に亘って連続する凹部である。これに伴い、嵌合部３２２は、本体部３２０の外周面から径方向外方向に延出した凸部であり、本体部３２０の外周面の周方向全周に亘って連続している。
【００６１】
嵌合部３２２は、本体部３２０に繋がる基端と、該基端の反対側の先端とを有する。嵌合部３２２の周方向の全周が、ポート本体３１の被嵌合部３１２に当接している。
【００６２】
本実施形態において、抜止部材３２の嵌合部３２２の周方向の全周が、ポート本体３１の被嵌合部３１２に対して線接触又は部分的に面接触している。より具体的に説明する。図７に示す如く、ポート本体３１の被嵌合部３１２と、嵌合部３２２（外周面）とは、円弧状に形成される。ポート本体３１の被嵌合部３１２の曲率は、抜止部材３２の嵌合部３２２の外周面の曲率よりも小さい。これに伴い、嵌合部３２２の周方向の全周が、ポート本体３１の被嵌合部３１２に線接触又は部分的に面接触する。
【００６３】
薬液バッグは、以上の通りである。続いて、ポート３の製造方法、及び薬液バッグ１の製造方法について説明する。
【００６４】
まず、ポート３の製造方法について説明する。封止栓３０、ポート本体３１、及び抜止部材３２のそれぞれは、予め成形され、ポート３の部品として準備される。
【００６５】
具体的には、図４に示す如く、第一端と該第一端の反対側の第二端とを中心線方向に有する筒状の被封止部３１０と、該被封止部３１０の第一端に繋がる筒状の接続部３１１と、被封止部３１０の内周面に形成された被嵌合部（本実施形態では、凹部）３１２とを有するポート本体３１が、予め成形される。また、図３に示す如く、第一面と該第一面の反対側の第二面とを有する封止栓３０であって、中空針を刺通可能で且つ被封止部３１０に封入可能な封止栓３０が、予め成形される。さらに、図６に示す如く、封止栓３０の第一面に重ね合わされる本体部３２０と、該本体部３２０の外周に設けられた嵌合部３２２であって、被嵌合部３１２と嵌合可能な嵌合部３２２とを有する抜止部材３２が、予め成形される。なお、ここでは、ポート本体３１の成形工程において、接続部３１１及び被封止部３１０が一体的に成形されるが、接続部３１１と被封止部３１０とが別々に成形された上で、接続部３１１と被封止部３１０とが接続されてもよい。
【００６６】
そして、図２に示す如く、封止栓３０がポート本体３１の被封止部３１０に封入される。これに伴い、封止栓３０の環状凹部３０１内に被封止部３１０の支持部３１０ｃが入り込み、延出部３０２の外周面と支持部３１０ｃの内周面とが密着する。
【００６７】
この状態で、抜止部材３２の嵌合部３２２とポート本体３１の被嵌合部３１２とが嵌め合わされる。すなわち、抜止部材３２の嵌合部３２２とポート本体３１の被嵌合部３１２とが嵌め合わされ、抜止部材３２の本体部３２０が被封止部３１０内の封止栓３０に重ね合わされる。これにより、本体部３２０の第一面上に形成された規制部３２１が封止栓３０に当接する（図２参照）。
【００６８】
より具体的に説明する。抜止部材３２の嵌合部３２２とポート本体３１の被嵌合部３１２とが嵌め合わされるのに併せ、本体部３２０の内周縁部側に形成される規制部３２１が封止栓３０の溝部３００内に配置される。これに伴い、規制部３２１に加えて本体部３２０の第一面のうちの対向領域（外周縁部）が封止栓３０に当接する。
【００６９】
これにより、抜止部材３２をポート本体３１に取り付けるのに併せ、抜止部材３２が封止栓３０を押さえ込んだ状態になり、ポート３が完成する。
【００７０】
次に、薬液バッグ１の製造方法について説明する。薬液バッグ１の製造方法では、ポート３と、バッグ本体２を作製するための一対のシート部材２０とが、薬液バッグ１の部品として予め用意される。なお、本実施形態において、ポート３を介してバッグ本体２内に薬液を充填する。これに伴い、ポート３は、未完成の状態で準備される。すなわち、ポート３は、封止栓３０及び抜止部材３２をポート本体３１から取り外した状態で用意される。
【００７１】
まず、図８に示す如く、一対のシート部材２０が重ね合わされ、該一対のシート部材２０の互いの外周縁部同士が一部を除いて溶着される。これにより、一対のシート部材２０の外周縁部同士が接続されたシール部２１と、シート部材２０の外周縁部同士が非接続の未封部位Ｈとが形成される。未封部位Ｈは、一対のシート部材２０間の空間の数に対応して設けられる。すなわち、未封部位Ｈは、一対のシート部材２０間の空間に薬液を注入する部分として設けられる。
【００７２】
本実施形態において、一対のシート部材２０の途中位置同士が剥離可能に溶着され、内部空間（収容室）２２を複数の空間２２ａ，２２ｂ（第一の収容室２２ａ、第二の収容室２２ｂ）に仕切る弱シール部２３が形成される。これにより、一対のシート部材２０の外周縁部同士を接続したシール部２１に包囲される内部空間（収容室）２２が、弱シール部２３によって、複数の空間２２ａ，２２ｂ（第一の収容室２２ａ、第二の収容室２２ｂ）に仕切られる。これに伴い、未封部位Ｈは、弱シール部２３によって仕切られた複数の空間２２ａ，２２ｂ（第一の収容室２２ａ、第二の収容室２２ｂ）のそれぞれに対応して設けられる。
【００７３】
未封部位Ｈの少なくとも一つは、一対のシート部材２０の間（一対のシート部材２０の外周縁部の間）にポート本体３１の接続部３１１を挿し込み可能な隙間を形成する。すなわち、一つの未封部位Ｈは、ポート本体３１の接続部３１１を挿し込む挿入口とされる。本実施形態において、一対のシート部材２０間の内部空間（収容室）２２が複数（二つ）の空間２２ａ，２２ｂ（第一の収容室２２ａ、第二の収容室２２ｂ）に仕切られるに伴い、複数（二つ）の未封部位Ｈが設けられる。複数の未封部位Ｈのうちの一つの未封部位Ｈは、接続部３１１の挿入口とされ、残りの未封部位Ｈは、薬液の注入口とされる。
【００７４】
これに伴い、図９に示す如く、挿入口とされる未封部位Ｈにポート本体３１の接続部３１１が差し込まれ、該接続部３１１の被封着部３１１ｂの外周に対して一対のシート部材２０が溶着される。
【００７５】
なお、被封着部３１１ｂに一対のシート部材２０が溶着されるにあたり、一対の金型が未封部位Ｈとともに被封着部３１１ｂを挟み込んで加熱する。これにより、一対のシート部材２０（未封部位Ｈ）と被封着部３１１ｂとが溶け合い、未封部位Ｈがポート本体３１と液密に接続される。
【００７６】
そして、未封部位Ｈから一対のシート部材２０の間にある内部空間（収容室）２２に薬液が注入される。
【００７７】
本実施形態において、弱シール部２３によって区切られた二つの空間２２ａ，２２ｂ（第一の収容室２２ａ、第二の収容室２２ｂ）のうちの一方の空間（第一の収容室）２２ａには、未封部位Ｈに接続されたポート本体３１から薬液が注入される。これに伴い、一方の空間（第一の収容室）２２ａに薬液が充填された後、図１０に示す如く、封止栓３０がポート本体３１の被封止部３１０に封入される。これにより、一方の空間（第一の収容室）２２ａは、薬液が充填された状態で密閉される。
【００７８】
その後、図１１に示す如く、抜止部材３２がポート本体３１に取り付けられる。具体的には、抜止部材３２の嵌合部３２２とポート本体３１の被嵌合部３１２とが嵌め合わされる。これに併せ、本体部３２０の第一面上に形成された規制部３２１が封止栓３０に当接される。
【００７９】
本実施形態において、抜止部材３２の嵌合部３２２とポート本体３１の被嵌合部３１２とが嵌め合わされると、本体部３２０の内周縁部側に形成される規制部３２１が封止栓３０の溝部３００内に配置される。この状態で、規制部３２１は、封止栓３０に当接する。本実施形態においては、規制部３２１に加え、本体部３２０の第一面における外周縁部（対向領域）が封止栓３０に当接する。すなわち、封止栓３０が抜止部材３２に押さえ込まれた状態で抜け止めされる。
【００８０】
これに対し、弱シール部２３によって区切られた二つの空間２２ａ，２２ｂ（第一の収容室２２ａ、第二の収容室２２ｂ）のうちの他方の空間（第二の収容室）２２ｂには、残りの未封部位Ｈから直接薬液が注入される。これに伴い、他方の空間（第二の収容室）２２ｂに薬液が充填された後、他方の空間（第二の収容室）２２ｂに対応する未封部位Ｈを構成する一対のシート部材２０同士が溶着され、未封部位Ｈが封止される。これにより、薬液の充填された他方の空間（第二の収容室）２２ｂが密閉され、薬液バッグ１が完成する。
【００８１】
なお、ポート３の製造過程及び薬液バッグ１の製造過程の何れにおいても、抜止部材３２がポート本体３１に取り付けられた後に、封止栓３０及び抜止部材３２を覆うピールシールＰが被封止部３１０の第二端に剥離可能に接着されることや、殺菌（例えば、熱水、蒸気による殺菌等）されることを含んでいてもよい。
【００８２】
以上のように、ポート３の製造方法及び薬液バッグ１の製造方法によれば、抜止部材３２の嵌合部３２２とポート本体３１の被嵌合部３１２とが嵌め合わされ、本体部３２０が封止栓３０に重ね合わされるため、ポート本体３１に対する抜止部材３２の取り付けが容易であるにも拘わらず、封止栓３０のポート本体３１からの脱落が防止される。
【００８３】
また、被嵌合部３１２が凹部で構成され、嵌合部３２２が被嵌合部３１２の凹部に嵌り込む凸部で構成されるため、ポート本体３１に対して抜止部材３２が確実に固定される。
【００８４】
さらに、抜止部材３２の嵌合部３２２とポート本体３１の被嵌合部３１２とが嵌め合わされるに併せ、抜止部材３２の規制部３２１が封止栓３０に当接する。これにより、ポート本体３１内の封止栓３０が抜止部材３２によって押さえ込まれ、封止栓３０のポート本体３１からの脱落がより確実に防止される。
【００８５】
従って、ポート３の製造方法及び薬液バッグ１の製造方法は、製造時間を短縮しつつも、封止栓３０のポート本体３１からの脱落を確実に防止したポート３を製造できる。また、ポート３において、ポート本体３１の被嵌合部３１２に対して抜止部材３２の嵌合部３２２が嵌め合わされるため、従来のポートのように、加熱や曲げ加工を必要とせず、効率的に組み立てることができる。
【００８６】
具体的には、従来のポートの製造方法では、封止栓がポート本体内に封入された後に、ポート本体が曲げ加工されることで、封止栓を押さえた抜止部が形成される。そのため、従来のポートの製造方法では、封止栓が傾いた姿勢でポート本体内に封入されると、ポート本体の形状が一定にならず、封止栓が脱落するおそれのあるポートが製造される。
【００８７】
しかしながら、ポート３の製造方法及び薬液バッグ１の製造方法においては、封止栓３０がポート本体３１の内部に封入された上で、ポート本体３１の規定位置にある被嵌合部３１２に、該ポート本体３１と別体で構成された抜止部材３２の嵌合部３２２が嵌め合わされるため、抜止部材３２が封止栓３０に対して適正な位置でポート本体３１に取り付けられる。従って、本実施形態に係るポート３の製造方法では、加熱や曲げ加工といった時間のかかる加工を行うことなく、ポート本体３１の周方向における形状のばらつき（封止栓３０に対する押さえ込みの態様のばらつき）が抑えられ、封止栓３０の脱落がより確実に防止される。
【００８８】
さらに、本体部３２０の第二面が封止栓３０の第一面と同一又は略同一のレベル（平面上）に位置するため、封止栓３０の突出部３０４や、本体部３２０の第二面（外面）に付着した付着物の除去が容易である。
【００８９】
また、被封着部３１１ｂにおける尖鋭部３１１ｄが、第二方向で先細りになっているため、一対の金型が被封着部３１１ｂとともに一対のシート部材２０を挟み込んだときに、一対のシート部材２０に作用する引張力（一対の尖鋭部３１１ｄが並ぶ方向に作用する引張力）が抑えられる。
【００９０】
従って、一対のシート部材２０が被封着部３１１ｂの外周全体に対して当接し易くなり、被封着部３１１ｂとシート部材２０との間に隙間が生じることが防止される。
【００９１】
なお、本発明は、上記実施形態に限定されるものではなく、本発明の要旨を逸脱しない範囲において種々変更可能であることは勿論である。
【００９２】
上記実施形態において、ポート本体３１が被封止部３１０を一つ有したが、これに限定されない。例えば、ポート本体３１は、被封止部３１０を二つ以上有していてもよい。この場合、各被封止部３１０に対し、封止栓３０が封入されるとともに、抜止部材３２が取り付けられることは勿論である。
【００９３】
上記実施形態において、バッグ本体２は、重ね合わされた一対のシート部材２０の外周縁部同士が溶着されることで形成されたが、これに限定されない。例えば、バッグ本体２は、筒状に形成されたシート（或いはフィルム）の両端開口部を閉じる（例えば、溶着する）ことで形成されてもよい。
【００９４】
上記実施形態において、バッグ本体２及びポート３が溶着により接続されたが、これに限定されない。例えば、バッグ本体２及びポート３は、接着剤等を介して接続されてもよい。
【００９５】
上記実施形態において、バッグ本体２の内部には、二つの空間（第一の収容室２２ａ、第二の収容室２２ｂ）が形成されていたが、これに限定されない。例えば、バッグ本体２の内部空間（収容室）２２は、図１２に示す如く、一つの空間２２ａのみであったり、図１３に示す如く、弱シール部２３によって、三つ以上の空間（収容室）２２ａ，２２ｂ，２２ｃに仕切られたりしてもよい。
【００９６】
上記実施形態において、薬液バッグ１は、バッグ本体２に一つのポート３が取り付けられていたが、これに限定されない。例えば、薬液バッグ１は、バッグ本体２に二つ以上のポート３が取り付けられてもよい。
【００９７】
上記実施形態において、封止栓３０の第一面における中央部（突出部３０４）が、本体部３２０の第二面と同一又は略同一のレベル（平面上）に位置していたが、これに限定されない。例えば、封止栓３０の第一面における中央部（突出部３０４）は、本体部３２０の第二面から外方に突出してもよい。このようにしても、封止栓３０の第一面における中央部に対する作業（例えば、アルコール消毒等）がし易くなる。
【００９８】
上記実施形態において、封止栓３０の溝部３００が環状に形成されたが、これに限定されない。溝部３００は、封止栓３０側に突出した規制部３２１の形態に即して形成されればよい。
【００９９】
上記実施形態において、被嵌合部３１２は、被封止部３１０の第二端側の内周面に形成されていたが、これに限定されない。例えば、被嵌合部３１２は、図１４に示す如く、被封止部３１０の外周面に形成されてもよい。
【０１００】
この場合、抜止部材３２が被封止部３１０の第二端側を覆うように形成され、嵌合部３２２が被封止部３１０の外周面に形成された被嵌合部３１２と対応する位置（嵌合可能な位置）に配置されればよい。
【０１０１】
また、被嵌合部３１２は、図１５に示す如く、被封止部３１０の第二端に形成されてもよい。この場合、本体部３２０が被封止部３１０の第二端に載る（第二端を部分的に覆う）ように形成され、嵌合部３２２が被封止部３１０の第二端に形成された被嵌合部３１２と対応する位置（嵌合可能な位置）に配置されればよい。
【０１０２】
上記実施形態において、被嵌合部３１２は、被封止部３１０（外壁部３１０ａ）の内周面の周方向全周に亘って連続する凹部（溝）によって構成されていたが、これに限定されない。例えば、被嵌合部３１２は、被封止部３１０（外壁部３１０ａ）の内周面の周方向において断続的に形成される複数の凹部によって構成されていてもよい。この場合、抜止部材３２の嵌合部３２２は、被嵌合部３１２の各凹部に対応する位置に形成される複数の凸部によって構成されればよい。
【０１０３】
上記実施形態において、抜止部材３２の規制部３２１は、本体部３２０の第一面から封止栓３０側に突出したが、これに限定されない。抜止部材３２の規制部３２１は、本体部３２０の第一面上にあればよく、例えば、封止栓３０と当接できれば、本体部３２０の第一面の少なくとも一部で構成されてもよい。この場合、規制部３２１は、第一面における封止栓３０と対向する対向領域と並ぶ領域、或いは、対向領域そのものによって構成される。また、規制部３２１は、周方向に連続したもの（環状に形成されたもの）に限定されない。例えば、規制部３２１は、本体部３２０の第一面上の複数箇所に設けられてもよい。
【０１０４】
上記実施形態において、抜止部材３２の規制部３２１が封止栓３０に当接したが、これに限定されない。例えば、規制部３２１は、封止栓３０との間に隙間を形成するように配置されてもよい。但し、この場合、封止栓３０が被封止部３１０内で該被封止部３１０の第二端側に移動したときに、規制部３２１が封止栓３０と干渉（当接）し、抜止部材３２（規制部３２１）が封止栓３０を被封止部３１０内に維持させることは勿論である。
【０１０５】
上記実施形態において、特に言及しなかったが、抜止部材３２及び封止栓３０は、互いに分離していてもよいし、互いに接続（例えば、接着）されて一体化していてもよい。抜止部材３２及び封止栓３０が互いに分離している場合、被封止部３１０に対し、封止栓３０が封入された後、抜止部材３２が取り付けられる。これに対し、抜止部材３２及び封止栓３０が互いに接続（例えば、接着）されている場合、被封止部３１０に対し、封止栓３０が封入されるのに併せて抜止部材３２が取り付けられる。
【０１０６】
上記実施形態において、抜止部材３２の本体部３２０が封止栓３０の第一面に重ね合わされるに伴い、規制部３２１も封止栓３０の第一面側に重ね合わされたが、これに限定されない。規制部３２１が封止栓３０における第一面と第二面との間に埋め込まれ、抜止部材３２と封止栓３０とが一体的に形成されてもよい。このようにすれば、抜止部材３２の規制部３２１と封止栓３０とが干渉（当接）した状態になり、規制部３２１は封止栓３０における被封止部３１０の第二端側への移動を規制する。なお、この場合、抜止部材３２の嵌合部３２２が封止栓３０の外周から外方に延出した鍔状に形成され得る。
【０１０７】
上記のように、抜止部材３２及び封止栓３０が一体化される場合、抜止部材３２の本体部３２０及び封止栓３０は、予め重ね合わされた上で接続される。なお、「重ね合わされ」とは、封止栓３０の第一面上に本体部３２０が重ね合わされることの他、本体部３２０の全体又は一部が封止栓３０の第一面と第二面との間に埋め込まれることで、本体部３２０と封止栓３０とが重なり合うことも含まれる。すなわち、「本体部３２０及び封止栓３０が重ね合わされる」とは、本体部３２０の針挿通部の中心線方向（中空針を挿通させる方向）で本体部３２０と封止栓３０とが対向することを意味する。
【０１０８】
上記実施形態において、本体部３２０の第二面側の全域が平面状に形成されたが、これに限定されない。例えば、図１６に示す如く、抜止部材３２は、本体部３２０の第二面から突出する環状凸部３２３を備えていてもよい。
【０１０９】
この場合、環状凸部３２３は、本体部３２０の孔中心と直交し且つ本体部３２０を通る仮想線（又は、仮想面）を基準として、規制部３２１と対称的な配置及び形状とされることが好ましい。
【０１１０】
このようにすれば、抜止部材３２の裏表が無くなり、環状凸部３２３を封止栓３０側に向けて抜止部材３２が被封止部３１０内に配置された場合、環状凸部３２３が第二の規制部として機能する。すなわち、本体部３２０の第一面から突出する規制部３２１が第一の規制部となり、環状凸部３２３が第二の規制部となる。これにより、ポート３の組み立て時に、抜止部材３２の裏表を確認する必要がなくなるため、生産性が向上する。従って、ポート３の製造方法及び薬液バッグ１の製造方法において、本体部３２０を被封止部３１０内の封止栓３０に重ね合わせることには、第一の規制部３２１又は第二の規制部３２３を封止栓３０に当接させることが含まれる。
【０１１１】
上記実施形態において、被嵌合部３１２は、外壁部３１０ａの内周面に形成された凹部で構成されていたが、これに限定されない。例えば、図１７に示す如く、被嵌合部３１２は、被封止部３１０（外壁部３１０ａ）の内周面に形成された凸部であってもよい。また、凸部で構成された被嵌合部３１２は、外壁部３１０ａの内周面の周方向全周に連続してもよい。この場合、嵌合部３２２は、被嵌合部３１２を構成する凸部を嵌め込み可能な凹部であればよい。
【０１１２】
上記実施形態において、特に言及しなかったが、被嵌合部３１２が被封止部３１０（外壁部３１０ａ）の内周面に形成された凹部又は凸部の何れか一方で構成されるとともに、嵌合部３２２が凹部又は凸部の何れか他方で構成される場合、被嵌合部３１２又は嵌合部３２２の何れか一方を構成する凸部の突出量を凹部の凹み量と比較して多くすることが好ましい。このようにすれば、凸部が相手方を押すため、被嵌合部３１２と嵌合部３２２との圧接力が高まる。これにより、抜止部材３２が被封止部３１０からより外れ難くなる。
【０１１３】
また、被嵌合部３１２又は嵌合部３２２の何れか一方を構成する凸部と被嵌合部３１２又は嵌合部３２２の何れか他方を構成する凹部との嵌合量（重なり量）が可能な限り多くなるように、凸部の突出量及び凹部の深さが設定されてもよい。このようにすれば、嵌合部３２２と被嵌合部３１２とが確実に引っ掛かり、抜止部材３２が被封止部３１０からより外れ難くなる。
【０１１４】
さらには、第三者による悪戯を防止するために、ポート３に対し、抜止部材３２が被封止部３１０から強引に取り外されることを阻止するための構成が付加されてもよい。
【０１１５】
例えば、図１８に示す如く、ポート３は、被封止部３１０の少なくとも一部と該被封止部３１０内に配置された抜止部材３２の少なくとも一部とを一体化させた連結部３２４を備えてもよい。
【０１１６】
この場合、抜止部材３２及びポート本体３１の少なくとも被封止部３１０は、溶融した状態で互い混ざり合う相溶性のある樹脂で構成される。抜止部材３２は、被封止部３１０内に配置された状態で、被封止部３１０の内周面、外周面、或いは端面の何れか（図１８においては、被封止部３１０の端面）と同一レベルになる面を有する被連結部３２５を備える。連結部３２４は、被封止部３１０の内周面、外周面、或いは端面の何れか（図１８においては、被封止部３１０の端面）の少なくとも一部と、これと同一レベルにある被連結部３２５の面の少なくとも一部とが溶融固化させることで形成される。
【０１１７】
このようにすれば、被封止部３１０と、該被封止部３１０に嵌め込まれた抜止部材３２とが一体となるため、抜止部材３２が取り外されることが阻止される。
【０１１８】
また、図１９に示す如く、抜止部材３２は、本体部３２０の第一面における対向領域と規制部３２１の形成される領域との境界で本体部３２０を破断させるための破断予定部３２６を備えてもよい。
【０１１９】
この場合、破断予定部３２６は、抜止部材３２の本体部３２０における他の領域よりも脆弱に形成される。例えば、破断予定部３２６は、抜止部材３２の本体部３２０における他の領域よりも薄肉に形成される。
【０１２０】
このようにすれば、悪意のある第三者が抜止部材３２を取り外そうとして、例えば、環状凸部３２３が工具（例えば、ペンチ）を用いて外方に引っ張られたり、抜止部材３２の本体部３２０の内周側に工具等が押し込まれたりすることで、抜止部材３２の本体部３２０の内周側に力が加えられた場合、抜止部材３２が脆弱な破断予定部３２６で破断する。
【０１２１】
このように、抜止部材３２が部分的に破断することで、第三者の悪戯の形跡が残るため、悪戯された疑いのある薬液バッグ１を事前に排除することもできる。
【０１２２】
また、図２０に示す如く、抜止部材３２は、被封止部３１０（外壁部３１０ａ）に沿って配置される延長部３２７であって、抜止部材３２の本体部３２０の外周端部に接続された基端と該基端の反対側の先端とを被封止部３１０の中心線方向に有し、嵌合部３２２が先端に接続された延長部３２７を備えてもよい。
【０１２３】
このようにすれば、延長部３２７と該延長部３２７の先端に接続された嵌合部３２２とが、封止栓３０と被封止部３１０（外壁部３１０ａ）とに挟まれた状態になる。これにより、嵌合部３２２は、被嵌合部３１２から脱落する方向（被封止部３１０の中心線に対して直交する方向）での移動が規制される。
【０１２４】
従って、悪意のある第三者が抜止部材３２を取り外そうとしても、嵌合部３２２が被嵌合部３１２から外れることが阻止される。
【０１２５】
すなわち、悪意のある第三者が抜止部材３２を取り外そうとして、例えば、抜止部材３２の本体部３２０の内周側が工具を用いて外方に引っ張られたり、抜止部材３２の本体部３２０の内周側に工具等が押し込まれたりすることで、抜止部材３２の本体部３２０の内周側に力が加えられた場合、抜止部材３２の本体部３２０の外周端近傍が作用点となり、延長部３２７の先端に接続された嵌合部３２２が被嵌合部３１２から脱落する方向（被封止部３１０の中心線に対して直交する方向）に移動しようとする。
【０１２６】
しかし、上述の如く、嵌合部３２２は、被嵌合部３１２から脱落する方向（被封止部３１０の中心線に対して直交する方向）での移動が規制されているため、嵌合部３２２が被嵌合部３１２から外れることが阻止される。
【０１２７】
また、延長部３２７の先端に接続された嵌合部３２２は、被封止部３１０（外壁部３１０ａ）の第一端と第二端との間の位置であって、抜止部材３２の本体部３２０よりも被封止部３１０の第一端側の位置に配置される。すなわち、嵌合部３２２は、被封止部３１０内の奥まった位置に配置される。これにより、嵌合部３２２に対して直接アクセスすることが困難となり、抜止部材３２が被封止部３１０から取り外されるといった、第三者の悪戯が確実に防止される。
【０１２８】
上記実施形態において、抜止部材３２の本体部３２０は、貫通孔で構成される針挿通部を有したが、これに限定されない。例えば、抜止部材３２の本体部３２０は、第一面及び第二面で開口し且つ当該本体部３２０の外周上でも開口した切欠き状の針挿通部を有していてもよい。すなわち、抜止部材３２の本体部３２０は、環状に形成されたものに限定されず、第一面及び第二面で開口した針挿通部であって、封止栓３０を露出させる針挿通部を有すればよい。
【０１２９】
上記実施形態において、ポート本体３１の被嵌合部３１２の曲率が、嵌合部３２２の外周面の曲率よりも小さく設定されたが、これに限定されるものではない。例えば、図２１に示す如く、ポート本体３１の被嵌合部３１２の曲率は、嵌合部３２２の外周面の曲率と同一又は略同一に設定されてもよい。
【０１３０】
上記実施形態において、抜止部材３２の嵌合部３２２の周方向の全周が、ポート本体３１の被嵌合部３１２に対して線接触又は部分的に面接触したが、これに限定されない。例えば、抜止部材３２の嵌合部３２２の周方向の複数位置が、ポート本体３１の被嵌合部３１２に対して部分的に接触してもよい。すなわち、ポート本体３１の被嵌合部３１２及び抜止部材３２の嵌合部３２２は、嵌合した状態で、周方向に間隔をあけた複数位置（箇所）で互いに接触するように形成されてもよい。
【０１３１】
また、被嵌合部３１２及び嵌合部３２２は、凹部又は凸部に限定されない。被嵌合部３１２及び嵌合部３２２は、嵌合した状態で被封止部３１０の中心線方向の力を伝達可能に形成されればよい。すなわち、被嵌合部３１２及び嵌合部３２２が互いに嵌合可能であることを条件に、被嵌合部３１２が被封止部３１０の第一端側を向く係合面（平面又は曲面）を有し、嵌合部３２２が被封止部３１０の第二端側を向き、且つ被嵌合部３１２の係合面（平面又は曲面）と対向する係合面（平面又は曲面）を有すればよい。
【０１３２】
上記実施形態において、封止栓３０がポート本体３１内に封入された後に、抜止部材３２がポート本体３１に取り付けられたが、これに限定されない。例えば、封止栓３０がポート本体３１内に封入されるのに併せて、抜止部材３２がポート本体３１に取り付けられてもよい。すなわち、封止栓３０と抜止部材３２とが重ね合わされた状態でポート本体３１内に配置されてもよい。
【０１３３】
上記実施形態において、ポート本体３１を介してバッグ本体２（第一の収容室２２ａ）に薬液が充填されたが、これに限定されない。
【０１３４】
例えば、未封部位Ｈからバッグ本体２内に薬液を注入した後に、ポート本体３１の接続部３１１が未封部位（挿入口）Ｈに挿入され、バッグ本体２に溶着されてもよい。また、ポート３（ポート本体３１）の取付位置と、該取付位置と異なる位置とのそれぞれに、未封部位Ｈが設けられ、ポート３（ポート本体３１）の取り付け位置の未封部位Ｈには、ポート３が接続され、他の未封部位Ｈから薬液が注入された上で該未封部位Ｈが封止されてもよい。この場合、完成品たるポート３が未封部位Ｈに接続されてもよいし、未完成品たるポート３（封止栓３０等が被封止部３１０に配置されていないポート本体３１）が未封部位Ｈに接続され、他の未封部位Ｈから薬液が充填される前に完成品たるポート３にされてもよい。
【０１３５】
上記実施形態において、薬液バッグ１を製造するに当り、封止栓３０、ポート本体３１、及び抜止部材３２のそれぞれが予め成形され、ポート３を構成する部品として準備されたが、これに限定されない。例えば、封止栓３０、ポート本体３１、及び抜止部材３２の少なくとも一つが、薬液バッグ１を製造する一連の工程で成型されてもよい。
【符号の説明】
【０１３６】
１…薬液バッグ、２…バッグ本体、３…ポート、２０…シート部材、２１…シール部、２２…収容室（内部空間）、２２ａ，２２ｂ…収容室（空間）、２３…弱シール部、３０…封止栓、３１…ポート本体、３２…抜止部材、３００…溝部、３０１…環状凹部、３０２…延出部、３０３…環状突出部、３０４…突出部、３１０…被封止部、３１０ａ…外壁部、３１０ｂ…連続部、３１０ｃ…支持部、３１１…接続部、３１１ａ…筒部、３１１ｂ…被封着部、３１１ｃ…円弧部、３１１ｄ…尖鋭部、３１２…被嵌合部、３２０…本体部、３２１…規制部（第一の規制部）、３２２…嵌合部、３２３…環状凸部（第二の規制部）、３２４…連結部、３２５…被連結部、３２６…破断予定部、３２７…延長部、Ｈ…未封部位、Ｐ…ピールシール
【図１】
2016117580.tif 000003
【図２】
2016117580.tif 000004
【図３】
2016117580.tif 000005
【図４】
2016117580.tif 000006
【図５】
2016117580.tif 000007
【図６】
2016117580.tif 000008
【図７】
2016117580.tif 000009
【図８】
2016117580.tif 000010
【図９】
2016117580.tif 000011
【図１０】
2016117580.tif 000012
【図１１】
2016117580.tif 000013
【図１２】
2016117580.tif 000014
【図１３】
2016117580.tif 000015
【図１４】
2016117580.tif 000016
【図１５】
2016117580.tif 000017
【図１６】
2016117580.tif 000018
【図１７】
2016117580.tif 000019
【図１８】
2016117580.tif 000020
【図１９】
2016117580.tif 000021
【図２０】
2016117580.tif 000022
【図２１】
2016117580.tif 000023
【図２２】
2016117580.tif 000024
【図２３】
2016117580.tif 000025
【手続補正書】
【提出日】平成28年10月13日(2016.10.13)
【手続補正１】
【補正対象書類名】特許請求の範囲
【補正対象項目名】全文
【補正方法】変更
【補正の内容】
【特許請求の範囲】
【請求項１】
第一端と該第一端の反対側の第二端とを中心線方向に有する筒状の被封止部と、該被封止部の第一端に繋がる筒状の接続部と、前記被封止部の内周面、前記被封止部の外周面、又は前記被封止部の前記第二端の何れかに形成された被嵌合部とを有するポート本体の前記被封止部に中空針を刺通可能な封止栓を封入することと、第一面と該第一面の反対側の第二面とを有する本体部と該本体部に連続する嵌合部とを有する抜止部材の前記嵌合部と前記被嵌合部とを嵌め合わせ、前記被嵌合部及び前記嵌合部を、前記被封止部の中心線方向の力を伝達可能に係合させることと、前記本体部を前記封止栓に重ね合わせることとを含むポートの製造方法。
【請求項２】
第一端と該第一端の反対側の第二端とを中心線方向に有する筒状の被封止部と、該被封止部の第一端に繋がる筒状の接続部と、前記被封止部の内周面、前記被封止部の外周面、又は前記被封止部の前記第二端の何れかに形成された被嵌合部とを有するポート本体の前記被封止部に中空針を刺通可能な封止栓を封入することと、第一面と該第一面の反対側の第二面とを有する本体部と該本体部に連続する嵌合部とを有する抜止部材の前記嵌合部と前記被嵌合部とを嵌め合わせ、前記被嵌合部における前記被封止部の前記第一端側を向く係合面と、前記嵌合部における前記被封止部の前記第二端側を向く係合面とを対向させることと、前記本体部を前記封止栓に重ね合わせることとを含むポートの製造方法。
【請求項３】
前記被嵌合部は、凹部又は凸部の何れか一方であり、前記嵌合部は、凹部又は凸部の何れか他方である請求項１又は２に記載のポートの製造方法。
【請求項４】
前記本体部は、前記第一面及び前記第二面で開口し且つ前記封止栓を露出させる針挿通部を有し、前記封止栓は、前記本体部の前記針挿通部内に向けて突出する突出部を有し、前記本体部を前記封止栓に重ね合わせることには、前記本体部の前記第一面又は前記第二面の何れか一方が前記封止栓側に向けられた状態で、前記針挿通部内に前記封止栓の前記突出部が配置され、且つ前記突出部の先端が、前記本体部の前記第一面又は前記第二面の何れか他方と同一又は略同一のレベル、或いは、前記本体部の前記第一面又は前記第二面の何れか他方から外方に突出した位置に配置されることを含む請求項１乃至３の何れか１項に記載のポートの製造方法。
【請求項５】
前記抜止部材は、前記本体部の前記第一面上に形成された第一の規制部を有し、前記本体部を前記封止栓に重ね合わせることには、前記第一の規制部を前記封止栓に当接させることを含む請求項１乃至４の何れか１項に記載のポートの製造方法。
【請求項６】
前記抜止部材は、前記本体部の前記第二面上に形成された第二の規制部を有し、前記本体部を前記封止栓に重ね合わせることには、前記第一の規制部又は前記第二の規制部を前記封止栓に当接させることを含む請求項５に記載のポートの製造方法。
【請求項７】
第一端と該第一端の反対側の第二端とを中心線方向に有する筒状の被封止部と、前記被封止部の第一端に繋がる筒状の接続部と、前記被封止部の内周面、前記被封止部の外周面、又は前記被封止部の前記第二端の何れかに形成された被嵌合部とを有するポート本体の前記被封止部に中空針を刺通可能な封止栓を封入することと、第一面と該第一面の反対側の第二面とを有する本体部と該本体部に連続する嵌合部とを有する抜止部材の前記嵌合部と前記被嵌合部とを嵌め合わせ、前記被嵌合部及び前記嵌合部を、前記被封止部の中心線方向の力を伝達可能に係合させることと、前記本体部を前記封止栓に重ね合わせることと、薬液が充填されるバッグ本体を前記接続部の外周に対して接続することとを含む薬液バッグの製造方法。
【請求項８】
第一端と該第一端の反対側の第二端とを中心線方向に有する筒状の被封止部と、前記被封止部の第一端に繋がる筒状の接続部と、前記被封止部の内周面、前記被封止部の外周面、又は前記被封止部の前記第二端の何れかに形成された被嵌合部とを有するポート本体の前記被封止部に中空針を刺通可能な封止栓を封入することと、第一面と該第一面の反対側の第二面とを有する本体部と該本体部に連続する嵌合部とを有する抜止部材の前記嵌合部と前記被嵌合部とを嵌め合わせ、前記被嵌合部における前記被封止部の前記第一端側を向く係合面と、前記嵌合部における前記被封止部の前記第二端側を向く係合面とを対向させることと、前記本体部を前記封止栓に重ね合わせることと、薬液が充填されるバッグ本体を前記接続部の外周に対して接続することとを含む薬液バッグの製造方法。
【請求項９】
前記被嵌合部は、凹部又は凸部の何れか一方であり、前記嵌合部は、凹部又は凸部の何れか他方である請求項７又は８に記載の薬液バッグの製造方法。
【請求項１０】
前記バッグ本体に前記接続部の接続された前記ポート本体を介して前記バッグ本体内に薬液を充填することをさらに含み、前記被封止部に前記封止栓を封入すること、及び前記本体部を前記封止栓に重ね合わせることは、前記バッグ本体内に薬液を充填した後に行われる請求項７乃至９の何れか１項に記載の薬液バッグの製造方法。
【請求項１１】
前記バッグ本体に設けられた未封部位から該バッグ本体内に薬液が充填された後に、前記未封部位が密閉されることを含む請求項７乃至９の何れか１項に記載の薬液バッグの製造方法。
【請求項１２】
前記バッグ本体を前記接続部の外周に対して接続することには、前記未封部位と該未封部位に配置された前記接続部とが溶着されることで、前記未封部位が密閉されることを含む請求項１１に記載の薬液バッグの製造方法。
【手続補正２】
【補正対象書類名】明細書
【補正対象項目名】０００２
【補正方法】変更
【補正の内容】
【０００２】
［０００９］
例えば、ポート４１の製造過程において、被封止部４１１ａから延出する部分（以下、折代部４１１ｄという）が加熱されつつ封止栓４１０側に折り返され、当該折代部４１１ｄの先端部全体が封止栓４１０に当接した状態になることで、折代部４１１ｄが抜止部４１１ｃにされる。このように、従来の製造方法では、折代部４１１ｄに対する加熱や曲げ加工が必要となり、これらの加工に時間がかかる。
［００１０］
そのため、薬液バッグ４の製造過程において、バッグ本体４０やポート４１の製造時間の短縮が求められている。
先行技術文献
特許文献
［００１１］
特許文献１：日本国  特開２００５−３４９１８２号公報
発明の概要
発明が解決しようとする課題
［００１２］
そこで、本発明は、斯かる実情に鑑み、製造時間を短縮できるポートの製造方法、及び薬液バッグの製造方法を提供することを課題とする。
課題を解決するための手段
［００１３］
本発明のポートの製造方法は、第一端と該第一端の反対側の第二端とを中心線方向に有する筒状の被封止部と、該被封止部の第一端に繋がる筒状の接続部と、前記被封止部の内周面、前記被封止部の外周面、又は前記被封止部の前記第二端の何れかに形成された被嵌合部とを有するポート本体の前記被封止部に中空針を刺通可能な封止栓を封入することと、第一面と該第一面の反対側の第二面とを有する本体部と該本体部に連続する嵌合部とを有する抜止部材の前記嵌合部と前記被嵌合部とを嵌め合わせ、前記被嵌合部及び前記嵌合部を、前記被封止部の中心線方向の力を伝達可能に係合させることと、前記本体部を前記封止栓に重ね合わせることとを含む。
本発明のポートの製造方法は、第一端と該第一端の反対側の第二端とを中心線方向に有する筒状の被封止部と、該被封止部の第一端に繋がる筒状の接続部と、前記被封止部の内周面、前記被封止部の外周面、又は前記被封止部の前記第二端の何れかに形成された被嵌合部とを有するポート本体の前記被封止部に中空針を刺通可能な封止栓を封入することと、第一面と該第一面の反対側の第二面とを有する本体部と該本体部に連続する嵌合部とを有する抜止部材の前記嵌合部と前記被嵌合部とを嵌め合わせ、前記被嵌合部における前記被封止部の前記第一端側を向く係合面と、前記嵌合部における前記被封止部の前記第二端側を向く係合面とを対向させることと、前記本体部を前記封止栓に重ね合わせることとを含む。
［００１４］
前記被嵌合部は、凹部又は凸部の何れか一方であり、前記嵌合部は、凹部又は凸部の何れか他方であってもよい。
［００１５］
前記本体部は、前記第一面及び前記第二面で開口し且つ前記封止栓を露出
【手続補正３】
【補正対象書類名】明細書
【補正対象項目名】０００３
【補正方法】変更
【補正の内容】
【０００３】
させる針挿通部を有し、前記封止栓は、前記本体部の前記針挿通部内に向けて突出する突出部を有し、前記本体部を前記封止栓に重ね合わせることには、前記本体部の前記第一面又は前記第二面の何れか一方が前記封止栓側に向けられた状態で、前記針挿通部内に前記封止栓の前記突出部が配置され、且つ前記突出部の先端が、前記本体部の前記第一面又は前記第二面の何れか他方と同一又は略同一のレベル、或いは、前記本体部の前記第一面又は前記第二面の何れか他方から外方に突出した位置に配置されることを含んでもよい。
［００１６］
前記抜止部材は、前記本体部の前記第一面上に形成された第一の規制部を有し、前記本体部を前記封止栓に重ね合わせることには、前記第一の規制部を前記封止栓に対向させることを含んでもよい。
［００１７］
前記抜止部材は、前記本体部の前記第二面上に形成された第二の規制部を有し、前記本体部を前記封止栓に重ね合わせることには、前記第一の規制部又は前記第二の規制部を前記封止栓に対向させることを含んでもよい。
［００１８］
本発明の薬液バッグの製造方法は、第一端と該第一端の反対側の第二端とを中心線方向に有する筒状の被封止部と、前記被封止部の第一端に繋がる筒状の接続部と、前記被封止部の内周面、前記被封止部の外周面、又は前記被封止部の前記第二端の何れかに形成された被嵌合部とを有するポート本体の前記被封止部に中空針を刺通可能な封止栓を封入することと、第一面と該第一面の反対側の第二面とを有する本体部と該本体部に連続する嵌合部とを有する抜止部材の前記嵌合部と前記被嵌合部とを嵌め合わせ、前記被嵌合部及び前記嵌合部を、前記被封止部の中心線方向の力を伝達可能に係合させることと、前記本体部を前記封止栓に重ね合わせることと、薬液が充填されるバッグ本体を前記接続部の外周に対して接続することとを含む。
本発明の薬液バッグの製造方法は、第一端と該第一端の反対側の第二端とを中心線方向に有する筒状の被封止部と、前記被封止部の第一端に繋がる筒状の接続部と、前記被封止部の内周面、前記被封止部の外周面、又は前記被封止部の前記第二端の何れかに形成された被嵌合部とを有するポート本体の前記被封止部に中空針を刺通可能な封止栓を封入することと、第一面と該第一面の反対側の第二面とを有する本体部と該本体部に連続する嵌合部とを有する抜止部材の前記嵌合部と前記被嵌合部とを嵌め合わせ、前記被嵌合部における前記被封止部の前記第一端側を向く係合面と、前記嵌合部における前記被封止部の前記第二端側を向く係合面とを対向させることと、前記本体部を前記封止栓に重ね合わせることと、薬液が充填されるバッグ本体を前記接続部の外周に対して接続することとを含む。
［００１９］
前記被嵌合部は、凹部又は凸部の何れか一方であり、前記嵌合部は、凹部又は凸部の何れか他方であってもよい。
［００２０］
前記バッグ本体に前記接続部の接続された前記ポート本体を介して前記バッグ本体内に薬液を充填することをさらに含み、前記被封止部に前記封止栓を封入すること、及び前記本体部を前記封止栓に重ね合わせることは、前記
【国際調査報告】
2016117580.tif 000026
2016117580.tif 000027
2016117580.tif 000028
2016117580.tif 000029